(57)【要約】【課題】  アーム形ナースコール子機のアームの先端がソケットから外れかけていることを医療従事者に把握させることで、アーム形ナースコール子機の落下を防止することを目的とする。【解決手段】  アーム１２の一方の先端に設けた取付部１２１がソケット２０の上方に備えた挿入部２０１から挿入された場合に、挿入部２０１の先端を支持するための支持部２０２の位置から取付部１２１の先端の位置までの距離を検出する。検出された距離が予め設定された値よりも大きい場合に、アーム１２の先端がソケット２０から外れかけていると判断し、ナースコール親機３０は、それを報知するようにしている。これにより、アーム形ナースコール子機１０の先端がソケット２０から外れかけている場合には、それが報知されるので、それを医療従事者に把握させることができる。【選択図】        図２
2009006068.tif 000002
【特許請求の範囲】
【請求項１】
患者による操作によって医療従事者を呼び出すための子機本体および前記子機本体を支持するアームを備えるナースコール子機と、
前記アームの先端を挿入するための挿入部および前記アームの先端を前記挿入部から挿入した場合に前記アームを嵌合して前記アームの先端を支持する支持部を備えるソケットと、
前記アームの先端が前記支持部から離れている度合いを検出する検出部と、
前記検出部が検出した前記アームの先端が前記支持部から離れている度合いにより、前記アームの先端が前記ソケットから外れかけているか否かの判定を行う判定部と、
前記アームの先端が前記ソケットから外れかけていると前記判定部にて判断した場合には、前記アームの先端が前記ソケットから外れかけていることを報知する報知部と、
を具備することを特徴とするナースコールシステム。
【請求項２】
前記検出部は、前記支持部から前記アームの先端までの距離を検知するセンサであり、
前記判定部は、前記センサで検出した前記支持部から前記アームの先端までの距離が所定値よりも大きい場合に、前記アームの先端が前記ソケットから外れかけていると判断することを特徴とする請求項１に記載のナースコールシステム。
【請求項３】
前記支持部に設けられ、前記アームの重みにより押し下げられて、その量が所定値以上である場合に、オン状態となり、押し下げられた量が所定値未満である場合に、オフ状態となるスイッチを具備し、
前記検出部は、前記スイッチのオン／オフ状態により前記度合いを検出し、
前記判定部は、前記スイッチがオフ状態である場合に、前記アームの先端が前記ソケットから外れかけていると判断することを特徴とする請求項１に記載のナースコールシステム。
【発明の詳細な説明】
【技術分野】
【０００１】
本発明は、病院などで患者からの要求に応じて看護師などの医療従事者を呼び出すナースコールシステムに関する。
【背景技術】
【０００２】
従来、ナースコールシステムでは、病室内の患者の近辺（例えば、ベッド近傍など）に設置されたナースコール子機および医療従事者のいる部屋（例えば、スタッフルームなど）に設置されたナースコール親機を接続している。
【０００３】
また、ナースコール子機は、ベッドサイドの壁面に設置されているウォールユニットに接続されている。ウォールユニットは、通話機能付きハンド形子機や握り押しボタン式子機などのナースコール子機を接続するためのコンセントを備えている。また、ウォールユニットの種類によっては、アームを取り付けるためのソケットを備えたものもある。アームの先端には、ベッド上の患者を照らすためのライトなどが取り付けられる。また、ライト部分にナースコール子機の機能を備えたアーム形ナースコール子機が知られている。アーム形ナースコール子機は、アームの一方の先端にライト部分を備え、他方の先端をソケットに取り付けるために円柱状に形成している。また、ソケットは、アームの他方の先端を挿入することができるように、上部が開口している挿入部を備えている。また、ソケットの内部は、アームの他方の先端を回動可能とする筒状に形成されており、筒状の下端には、アームの他方の先端を支持する支持部が形成されている。アームの他方の先端が挿入部から挿入され、支持部により支持されると、アームは、他方の先端を軸にして回動可能になる。また、アームの途中にアームを屈曲可能とする肘部を設け、１つ以上の肘部を支点にしてアームを屈曲させることができる。患者や医療従事者は、アームを回動させたり屈曲させたりすることにより、患者の頭部上方の適切な位置にナースコール子機本体を配置させることができる。
【０００４】
また、ナースコール子機とナースコール親機とを有線により接続した場合、ナースコール子機は、子機本体に繋がっているコードの先端に設けたプラグをコンセントに接続していた。そのため、患者がコードを強い力で引っ張ると、コードが断線したり、プラグがコンセントから脱落したりして、ナースコール子機が使用不能になるケースが生じていた。このように、ナースコール子機のコードが断線したり、プラグがコンセントから脱落したりした場合には、それを報知するための警報をナースコール親機で発生させ、医療従事者に報知する脱落呼び出しの機能を備えたナースコールシステムが開発されている。
【０００５】
また、押しボタンを押下して呼び出しを行うナースコールシステムの他に、作動片を引き抜いて呼び出しを行うナースコールシステムが知られている（例えば、特許文献１、２など）。特許文献１に記載の体動検出装置は、スイッチ作動片の抜き差しによってオンオフされるスイッチを含む体動検出回路を備え、スイッチ作動片が引っ張られて筐体から抜けると体動検出回路のスイッチがオンになり、呼び出しを報知するための警報をナースコール親機で発生させるようにしている。また、特許文献２に記載の引き抜き方式のナースコールスイッチは、電気回路の電気を遮断する電気遮断物質を挟むスイッチを備え、電気遮断物質が引き抜かれると電気回路に電気が通り、ナースコールを動作させるようにしている。
【特許文献１】特開２００２−１４３０９９号公報
【特許文献２】特開２００６−３０５２５９号公報
【０００６】
ところで、アーム形のナースコールではアームを回動させるために、アームの先端をソケットに固定しないので、アームを回動させたり、屈曲させたりすると、アームの先端がソケットから外れかけてしまうことがある。アームの先端がソケットから外れかけている状態で、それに気づいた医療従事者がアームの先端を元の位置に戻せば、アームの先端がソケットから外れてしまうことはない。しかしながら、他の業務で多忙である医療従事者は、アームの先端がソケットから外れかけていても、それが目立たないため、気づかないことが多い。そのため、アームの先端がソケットから外れるまで放置された状態となってしまう。アームの先端がソケットから外れると、アーム形ナースコール子機が落下し、アーム形ナースコール子機の近傍にいる患者が落下したアーム形ナースコール子機の下敷きになり、負傷してしまうことが考えられる。ところで、脱落呼び出しの機能を備えたアーム形ナースコール子機をナースコールシステムに適用した場合、アーム形ナースコール子機が落下してアーム形ナースコール子機のコードが断線したり、プラグが脱落したりしてから警報を発生するので、アーム形ナースコール子機の落下を防止することができないという問題があった。
【０００７】
また、特許文献１や特許文献２のスイッチは、呼び出しを報知し易くするために、あくまでもスイッチ作動片や電気遮断物質が横方向に引かれるように構成されており、アーム形ナースコール子機のアームの先端がソケットから引き抜かれることに適用することができなかった。
【発明の開示】
【発明が解決しようとする課題】
【０００８】
本発明は、このような問題を解決するために成されたものであり、アーム形ナースコール子機のアームの先端がソケットから外れかけていることを医療従事者に把握させることで、アーム形ナースコール子機の落下を防止することを目的とする。
【課題を解決するための手段】
【０００９】
上述した課題を解決するために、本発明のナースコールシステムは、アームの先端がソケットの支持部から離れている度合いを検出し、その度合いによりアームの先端がソケットから外れかけているか否かの判定を行う。そして、アームの先端がソケットから外れかけていると判定した場合には、それを報知するようにしている。
【発明の効果】
【００１０】
上記のように構成した本発明によれば、アーム形ナースコール子機のアームの先端がソケットから外れかけている場合には、それが報知されるので、アーム形ナースコール子機のアームの先端がソケットから外れかけていることを医療従事者に把握させることができる。従って、アーム形ナースコール子機のアームの先端がソケットから外れかけていることを把握した医療従事者がアーム形ナースコール子機を元に位置に戻すことで、アーム形ナースコール子機の落下を防止することができる。
【発明を実施するための最良の形態】
【００１１】
以下、本発明の一実施形態を図面に基づいて説明する。本実施形態によるナースコールシステムのブロック図を図１に示す。同図に示すように、本実施形態によるナースコールシステムは、アーム形ナースコール子機１０、ソケット２０、ナースコール親機３０を備えて構成されている。
【００１２】
アーム形ナースコール子機１０は、図２に示すように、アーム１２を備え、アーム１２の一方の先端にライト１３を設け、他方の先端に円柱状の取付部１２１を設けて構成されている。アーム１２は、アーム１２を屈曲可能とする肘部１２２ａ、１２２ｂ、１２２ｃをアーム１２の途中に備えている。
【００１３】
ライト１３は、患者の近辺を照らすためのもので、光源と光源をオン／オフするスイッチと光源およびスイッチを収容する筐体とからなる。また、ライト１３の筐体は、子機本体１１を内蔵し、呼出操作部として機能する呼出ボタン１１１を近辺に備えている。患者は、呼出ボタン１１１を押下することで医療従事者を呼び出すことができる。ここで、子機本体１１およびライト１３に電源を供給する電源線や子機本体からの呼出信号を出力する信号線は、アーム１２に内蔵されており、アーム１２の他方の先端でアーム１２内から露出している。
【００１４】
ウォールユニットＷは、ベッドサイドの壁面に設置されており、アーム１２を取り付けるためのソケット２０と、電源線および信号線を取り付けるためのコンセント２６とを備えている。ソケット２０は、取付部１２１を挿入することができるように、上方が開口している挿入部２０１を備えている。また、ソケット２０の内部は、円柱状の取付部１２１をソケット２０内で回動可能とする筒状に形成されており、ソケット２０の筒状の内部の下端には、取付部１２１の先端を支持する支持部２０２が形成されている。取付部１２１が挿入部２０１から挿入され、取付部１２１の先端が支持部２０２により支持されると、アーム１２は、取付部１２１を軸にして回動可能となる。
【００１５】
また、ソケット２０は、ソケット用制御部２１、検出部２２、判定部２３、ソケット用インタフェース（以下、Ｉ／Ｆとする）部２４を備えている。また、ソケット２０は、ウォールユニットＷを介して伝送線によりナースコール親機３０に接続されている。
【００１６】
ナースコール親機３０は、親機用制御部３１、受信部３２、報知部３３、親機用インタフェース（以下、Ｉ／Ｆとする）部３４を備えている。また、ナースコール親機３０は、医療従事者のいる部屋（例えば、スタッフルームなど）に設置されており、患者からの呼び出しに応答するためのものである。ここで、ナースコール親機３０には、複数のアーム形ナースコール子機１０が接続されている。また、ウォールユニットＷとナースコール親機３０との間には、図示しない廊下灯が設置されている。廊下灯は、自機に設けた表示灯を点灯または点滅させることで、子機本体１１による呼び出しなどを報知する。
【００１７】
ソケット用制御部２１は、ソケット２０の各構成要素を後述するように制御する。また、ソケット用制御部２１は、アーム１２の先端がソケット２０から外れかけていることを報知するための脱落予備信号を生成し、外部へ送信する。検出部２２は、取付部１２１の先端が支持部２０２から離れている度合いを検出する。ここで、本実施形態では、支持部２０２から挿入された取付部１２１の先端までの距離を検出するための測距センサを検出部２２として使用している。
【００１８】
判定部２３は、検出部２２が検出した支持部２０２から取付部１２１の先端までの距離および予め設定された値を比較して、アーム１２の先端がソケット２０から外れかけているか否かを判定する。比較した結果、支持部２０２から取付部１２１の先端までの距離が予め設定された値よりも大きいと判定部２３にて判断した場合には、判定部２３は、アーム１２の先端がソケット２０から外れかけていると判断する。なお、支持部２０２から取付部１２１の先端までの距離と比較される値を設定するための設定部を設け、医療従事者により設定することができるようにしても良い。
【００１９】
ソケット用Ｉ／Ｆ部２４は、ソケット用制御部２１から送信された脱落予備信号をナースコール親機３０に伝送するために、ウォールユニットＷを介して親機用Ｉ／Ｆ部３４を接続している。
【００２０】
図３は、ソケット２０の断面図である。図３（ａ）は、アーム１２の取付部１２１がソケット２０の挿入部２０１に完全に挿入されている状態を示す断面図である。この状態では、取付部１２１の先端が支持部２０２により支持されている。また、支持部２０２上面には、検出部２２が設けられている。検出部２２の測距センサは、支持部２０２の位置Ｐから取付部１２１の先端の位置Ｐ’までの距離ｄを計測する。計測された距離ｄにより、判定部２３は、アーム１２の先端がソケット２０から外れかけている状態であるか否かを判断する。取付部１２１が挿入部２０１に完全に挿入されている状態では、支持部２０２の位置Ｐと取付部１２１の先端の位置Ｐ’とが同位置にあるため、検出部２２が検出した支持部２０２の位置Ｐから取付部１２１の先端の位置Ｐ’までの距離ｄの値はゼロとなる。また、アーム１２を上方に持ち上げると、距離ｄの値は増加し、図３（ｂ）に示すように取付部１２１の先端は、支持部２０２から離れた状態になる。
【００２１】
図３（ｂ）は、取付部１２１がソケット２０から外れかけている状態を示す断面図である。この状態では、取付部１２１の先端は、支持部２０２により支持されていない。また、この状態で、アーム１２を下方に押し込むと、距離ｄの値が減少し、図３（ａ）に示すように取付部１２１の先端が支持部２０２により支持された状態になる。
【００２２】
判定部２３は、検出部２２が検出した支持部２０２の位置Ｐから取付部１２１の先端の位置Ｐ’までの距離ｄと予め設定された値Ｑとを比較する。比較した結果、距離ｄが値Ｑよりも大きいと判定部２３にて判断した場合に、判定部２３は、アーム１２の先端がソケット２０から外れかけていると判断する。その際、ソケット用制御部２１は、それを報知するための脱落予備信号を生成し、ソケット用Ｉ／Ｆ部２４によりナースコール親機３０へ送信する。これにより、図３（ａ）から図３（ｂ）のように距離ｄが増加する過程において、距離ｄの値が値Ｑを超えると、ソケット用制御部２１は、ナースコール親機３０へ脱落予備信号を送信する。また、この状態で、アーム１２の先端がソケット２０から外れかけていても、取付部１２１の外周が挿入部２０１によって保持されるため、アーム１２は、辛うじて外れることはない。また、ナースコール親機３０がそれを報知している場合に、図３（ａ）のように、医療従事者が挿入部２０１に取付部１２１を完全に挿入したとき、判定部２３は、アーム１２の先端がソケット２０から外れかけていないと判断する。
【００２３】
親機用制御部３１は、ナースコール親機３０の各構成要素を後述するように制御する。受信部３２は、子機本体１１から送信された呼出信号を受信するとともに、ソケット２０から送信された脱落予備信号を受信する。
【００２４】
報知部３３は、スピーカや表示ディスプレイ、表示灯などにより構成されており、子機本体１１から呼び出しがあると、換言すると、受信部３２が子機本体１１から送信された呼出信号を受信すると、スピーカから呼び出し音を出力したり、表示ディスプレイに呼び出し表示を行ったり、表示灯を点灯または点滅させたりして報知する。また、報知部３３は、アーム１２の先端がソケット２０から外れかけている、換言すると、受信部３２がソケット２０から送信された脱落予備信号を受信すると、スピーカから呼び出し音を出力したり、表示ディスプレイに呼び出し表示を行ったり、表示灯を点灯または点滅させたりして報知する。ここで、報知部３３は、受信部３２が脱落予備信号を受信した場合と、呼出信号を受信した場合とで異なる報知を行う。例えば、異なる呼び出し音を出力したり、異なる呼び出し表示を行ったり、異なる点灯または点滅をさせたりして報知する。
【００２５】
親機用Ｉ／Ｆ３４部は、子機本体１１から送信された呼出信号およびソケット２０から送信された脱落予備信号を受信するために、ウォールユニットＷを介して子機本体１１およびソケット用Ｉ／Ｆ部２４を接続している。
【００２６】
以上詳しく説明したように、本実施形態のナースコールシステムでは、アーム１２の一方の先端に設けた取付部１２１がソケット２０の上方に備えた挿入部２０１から挿入された場合に、挿入部２０１の先端を支持するための支持部２０２の位置Ｐから取付部１２１の先端の位置Ｐ’までの距離ｄを検出部２２により検出する。検出された距離ｄが予め設定された値Ｑよりも大きい場合に、アーム１２の先端がソケット２０から外れかけていると判定部２３により判断し、ナースコール親機３０は、それを報知するようにしている。これにより、アーム形ナースコール子機１０の先端がソケット２０から外れかけている場合には、それが報知されるので、それを医療従事者に把握させることができる。従って、アーム形ナースコール子機１０の先端がソケット２０から外れかけていることを把握した医療従事者がアーム形ナースコール子機１０を元に位置に戻すことで、アーム形ナースコール子機１０の落下を防止することができる。
【００２７】
なお、前述した実施形態では、検出部２２は、支持部２０２から取付部１２１の先端までの距離を計測するための測距センサであるがこれに限定されない。例えば、アーム１２の重みにより押し下げられ、その量が予め設定された値以上である場合にオン状態となり、押し下げられた量が予め設定された値未満である場合にオフ状態となるスイッチ２２０を使用するようにしても良い。
【００２８】
具体的には、検出部２２は、スイッチ２２０のオン／オフ状態により、支持部２０２から取付部１２１の先端までの距離を検出する。判定部２３は、スイッチ２２０のオン／オフ状態により、アーム１２の先端がソケット２０から外れかけているか否かを判定する。図４（ａ）に示すように、スイッチ２２０は、アーム１２の重みにより支持部２０２の下端方向に押し下げられる。図４（ａ）は、取付部１２１が挿入部２０１に完全に挿入されている状態を示す断面図である。この状態で、取付部１２１の先端がスイッチ２２０を押し下げた量がある程度以上となると、スイッチ２２０はオン状態となる。ここで、アーム１２の取付部１２１の先端が支持部２０２から離れている度合いは、取付部１２１の先端がスイッチ２２０を押し下げた量と反比例している。つまり、取付部１２１の先端がスイッチ２２０を押し下げた量がある程度以上となり、スイッチ２２０がオン状態となると、検出部２２は、取付部１２１の先端が支持部２０２から所定値以上離れていないと検出する。従って、判定部２３は、スイッチ２２０がオン状態となると、アーム１２の先端がソケット２０から外れかけていないと判断する。一方、図４（ｂ）は、取付部１２１の先端が挿入部２０１から外れかけている状態を示す断面図である。この状態で、取付部１２１の先端がスイッチ２２０を押し下げた量がある程度未満となると、スイッチ２２０はオフ状態となる。取付部１２１の先端がスイッチ２２０を押し下げた量がある程度未満となり、スイッチ２２０がオフ状態となると、検出部２２は、取付部１２１の先端が支持部２０２から所定値以上離れていると検出する。従って、判定部２３は、スイッチ２２０がオフ状態となると、アーム１２の先端がソケット２０から外れかけていると判断する。その際、ソケット用制御部２１は、それを報知するための脱落予備信号を生成し、ソケット用Ｉ／Ｆ部２４によりナースコール親機３０へ送信する。
【００２９】
また、前述した実施形態では、検出部２２は、支持部２０２から取付部１２１の先端まで距離を計測するための測距センサであるがこれに限定されない。例えば、ソケット２０の内部の側壁面に発光素子と受光素子とを対向するように配置し、発光素子が投射したレーザ光などを受光素子で検出した場合に、判定部２３は、アーム１２の先端がソケット２０から外れかけていると判断するようにしても良い。
【００３０】
具体的には、図５（ａ）に示すように、ソケット２０の内部の側壁面に発光素子２２１と受光素子２２２とを対向するように配置する。発光素子２２１は、受光素子２２２へ向けてレーザ光Ｌを投射する。受光素子２２２は、発光素子２２１からのレーザ光Ｌを検出する。図５（ａ）は、取付部１２１が挿入部２０１に完全に挿入されている状態を示す断面図である。この状態では、発光素子２２１から投射されたレーザ光Ｌは、取付部１２１により遮断される。これにより、受光素子２２２がレーザ光Ｌを検出しないので、判定部２３は、アーム１２の先端がソケット２０から外れかけていないと判断する。一方、図５（ｂ）は、取付部１２１の先端が挿入部２０１から外れかけている状態を断面図である。この状態では、発光素子２２１から投射されたレーザ光Ｌは、取付部２２１により遮断されない。これにより、受光素子２２２がレーザ光Ｌを検出するので、判定部２３は、アーム１２の先端がソケット２０から外れかけていると判断する。その際、ソケット用制御部２１は、それを報知するための脱落予備信号を生成し、ソケット用Ｉ／Ｆ部２４によりナースコール親機３０へ送信する。なお、この変形例では、発光素子２２１と受光素子２２２とを一組配置するようにしているが、複数組配置するようにしても良い。これにより、アーム１２の位置をより正確に検出することができる。
【００３１】
また、前述した実施形態では、検出部２２が検出した支持部２０２の位置Ｐから取付部１２１の挿入位置Ｐ’までの距離ｄが値Ｑよりも大きいと判定部２３にて判断した場合に、ナースコール親機３０は、アーム１２の先端がソケット２０から外れかけていることを無条件で報知しているがこれに限定されない。例えば、ナースコールシステムをメンテナンスする場合には、親機用制御部３１は、脱落予備信号を受信部３２が受信しても報知部３３の動作を停止して、アーム１２の先端がソケット２０から外れかけていることを報知させないようにしても良い。
【００３２】
また、前述した実施形態では、検出部２２が検出した支持部２０２の位置Ｐから取付部１２１の挿入位置Ｐ’までの距離ｄが値Ｑよりも大きいと判定部２３が判断した場合に、ソケット用制御部２１は、アーム１２の先端がソケット２０から外れかけていることを示す脱落予備信号を無条件で出力しているがこれに限定されない。例えば、ナースコールシステムをメンテナンスする場合には、ソケット用制御部２１は、判定部２３の動作を無効として脱落予備信号を生成しないようにしても良いし、ソケット用Ｉ／Ｆ部２４から脱落予備信号が送信されないようにしても良い。
【００３３】
具体的には、判定部２３の動作を無効とするためのボタンをソケット２０付近に設ける。医療従事者がそのボタンを押下すると、ソケット用制御部２１は、判定部２３の動作を無効に切り替える。そのため、ソケット用制御部２１では、脱落予備信号が生成されなくなる。この間、検出部２２は動作しているので、再び取付部１２１がソケット２０内に完全に挿入されて、検出部２２により計測された距離ｄの値がゼロになると、ソケット用制御部２１は、判定部２３の動作を有効に切り替える。
【００３４】
これにより、ナースコールシステムをメンテナンスする場合などにソケット２０からアーム１２を外すときには、報知部３０による警報を発生させないようにすることができる。また、メンテナンスが終了した場合には、ソケット２０に取付部１２１を完全に挿入するだけで判定部２３の動作が有効に切り替わるので、いちいち判定部２３の動作を有効に切り替える必要がなくなり、判定部２３の動作を無効の状態のままでアーム形ナースコール子機１０を使用するおそれもなくなる。
【００３５】
また、前述した実施形態では、ソケット２０は、ソケット用制御部２１、検出部２２、判定部２３、ソケット用Ｉ／Ｆ部２４を備えているが、これに限定されない。例えば、検出部２２のみをソケット２０に設け、その他の構成要素をウォールユニットＷに設けても良い。
【図面の簡単な説明】
【００３６】
【図１】本実施形態によるナースコールシステムのブロック図である。
【図２】本実施形態によるナースコールシステムの全体図である。
【図３】本実施形態のソケットの断面図である。
【図４】本発明の第一の変形例におけるソケットの断面図である。
【図５】本発明の第二の変形例におけるソケットの断面図である。
【符号の説明】
【００３７】
１０    アーム形ナースコール子機
１１    子機本体
１１１  呼出ボタン
１２    アーム
１２１  取付部
１２２ａ、１２２ｂ、１２２ｃ  肘部
１３    ライト
２０    ソケット
２１    ソケット用制御部
２２    検出部
２３    判定部
２４    ソケット用インタフェース（Ｉ／Ｆ）部
２６    コンセント
２０１  挿入部
２０２  支持部
２２０  スイッチ
２２１  発光素子
２２２  受光素子
３０    ナースコール親機
３１    親機用制御部
３２    受信部
３３    報知部
３４    親機用インタフェース（Ｉ／Ｆ）部
Ｗ      ウォールユニット
Ｌ      レーザ光
【図１】
2009006068.tif 000003
【図２】
2009006068.tif 000004
【図３】
2009006068.tif 000005
【図４】
2009006068.tif 000006
【図５】
2009006068.tif 000007